(57)【要約】【課題】高級感があり内容物が簡単に変更でき、繰り返し使用が可能な展示用器具を提供すること。【解決手段】ベース７に形成された第１の溝７ａに対して２枚の透明な樹脂プレート１，２を垂直に立設し、その背面に不透明な樹脂プレート３を立設する。これら樹脂プレート１〜３と直交するようにベース７に形成された第２の溝７ｂに対して２枚の透明な樹脂プレート４，５を寝かせて配設し、その下面に不透明な樹脂プレート６を配置する。隣接するプレート１〜６間には間隔を保持するためにスペーサを配設する。【選択図】      図１
0003152618.tif 000002
【実用新案登録請求の範囲】
【請求項１】
ベースに形成された複数の係合溝に対してそれぞれ透明プレートを装着し、複数の同透明プレートを間隔を空けて重複状に配置したことを特徴とする展示用器具。
【請求項２】
前記複数の透明プレートは表裏が平行な平板から構成され、各透明プレートは互いに平行となるように配置されていることを特徴とする請求項１に記載の展示用器具。
【請求項３】
前記重複状に配置した複数の透明プレートを１群として、複数群が前記ベースに装着され、１の群は他の群に対して所定の角度をもって配置されていることを特徴とする請求項２に記載の展示用器具。
【請求項４】
互いに隣接する前記複数の透明プレート間にはスペーサが配設されていることを特徴とする請求項１〜３のいずれかに記載の展示用器具。
【請求項５】
前記いずれかの透明プレートの背面には印刷物、鏡、プリズムシート、布など演出に利用できる素材が配置されていることを特徴とする請求項１〜４のいずれかに記載の展示用器具。
【請求項６】
前記ベース内部には前記溝に連通する収容部を形成したことを特徴とする請求項１〜５のいずれかに記載の展示用器具。
【考案の詳細な説明】
【技術分野】
【０００１】
本考案は、展示物の架台とし背景装飾を同時に可能とし、簡便で繰り返し使用が可能でありながら従来にない多様な美的空間の演出を容易に行うことができる展示用器具に関するものである。
【背景技術】
【０００２】
一般に商品展示の際に架台と背景の装飾、演出は別個に行なわれている。また、商品展示の際には特許文献１の例に見るように使い回しを配慮しない専用の展示器具を製作する場合が多かった。更に特許文献２の例に見るように展示物自体の映り込みを背景演出として取り込む場合、単純な反射鏡像のみに過ぎず深みを感じさせる多重像には着眼してはいなかった。
【先行技術文献】
【特許文献】
【０００３】
【特許文献１】特開２００７−３０１２００号公報
【特許文献２】実開平５−５１１５６号公報
【考案の概要】
【考案が解決しようとする課題】
【０００４】
パンフレット、パネル、ポスターなどをより美しく見せるための額縁は多数存在するが額縁のように内容物が容易に交換でき、商品、印刷物等を展示する額、ケース、架台の機能を併せ持ち商品等を美しく展示できる器具があれば有用である。この場合に単純な印刷物の背景だけでは、高級感を得ることは難しい。そのため、高級感があり内容物が簡単に変更でき、繰り返し使用が可能な展示用器具が求められていた。
【課題を解決するための手段】
【０００５】
上記の目的を達成するための第１の手段として、ベースに形成された複数の係合溝に対してそれぞれ透明プレートを装着し、複数の同透明プレートを間隔を空けて重複状に配置したことをその要旨とする。
また、第２の手段として第１の手段に加え、前記複数の透明プレートは表裏が平行な平板から構成され、各透明プレートは互いに平行となるように配置されるようにしたことをその要旨とする。
また、第３の手段として第２の手段に加え、前記重複状に配置した複数の透明プレートを１群として、複数群が前記ベースに装着され、１の群は他の群に対して所定の角度をもって配置されるようにしたことをその要旨とする。
また、第４の手段として第１〜第３のいずれかの手段に加え、互いに隣接する前記複数の透明プレート間にはスペーサが配設されるようにしたことをその要旨とする。
また、第５の手段として第１〜第４のいずれかの手段に加え、前記いずれかの透明プレートの背面には印刷物、鏡、プリズムシート、布など演出に利用できる素材が配置されるようにしたことをその要旨とする。
また、第６の手段として第１〜第５のいずれかの手段に加え、前記ベース内部には前記溝に連通する収容部を形成したことをその要旨とする。
【考案の効果】
【０００６】
上記請求項の考案では、展示物の架台として高級感があり内容物を簡単に変更することができ、繰り返し使用が可能となる。
【図面の簡単な説明】
【０００７】
【図１】本考案の実施例の展示用器具の斜視図。
【図２】同じ展示用器具の側面図。
【考案を実施するための形態】
【０００８】
図１及び図２に示すように、本実施例の展示用器具は垂直に立設させて（以下、この方向を垂直方向とする）所定間隔を空けて重複状に配置された３枚の樹脂プレート１〜３と、水平に寝かせて（以下、この方向を水平方向とする）所定間隔を空けて重複状に配置された３枚の樹脂プレート４〜６と、これら樹脂プレート１〜６が取り付けられるベース７から基本的な骨格が構成されている。
垂直方向に重複状に配置された３枚の樹脂プレート１〜３の内、前面側の２枚の樹脂プレート１，２は透明であり、最も背面の樹脂プレート３は不透明とされている。水平方向に重複状に配置された３枚の樹脂プレート４〜６の内、上面側の２枚の樹脂プレート４，５は透明であり、最も下面の樹脂プレート６は不透明とされている。
ベース７の上面には長手方向に沿った平行な２本の第１の溝７ａが形成されるとともに前面にも長手方向に沿った平行な２本の第２の溝７ｂが形成されている。垂直方向の透明な樹脂プレート１，２の基端は第１の溝７ａに、水平方向の透明な樹脂プレート４，５の基端は第２の溝７ａに嵌挿されている。垂直方向の不透明な樹脂プレート３の基端はベース７の後方に形成された第１の取り付け面９に対してネジ（図示せず）によって固定されている。同様に水平方向の不透明な樹脂プレート６の基端はベース７の下方に形成された第２の取り付け面１１に対してネジ（図示せず）によって固定されている。
互いに隣接して重複される樹脂プレート１〜６間の先端寄り両縁位置にはスペーサ１２が配設されており、同スペーサ１２位置において同スペーサ１２を挿通するようにネジ１３によって垂直方向及び水平方向のそれぞれの樹脂プレート１〜６は固定されている。水平方向の不透明な樹脂プレート６の底面の四隅にはゴム足１５が装着されている。
図２に示すようにベース７の背面には凹部１６が形成されている。凹部１６は第１及び第２の溝７ａ，７ｂに連通されており、ＬＥＤなどの発光体を組み込むことで、透明プレートの端面に光を入射でき、照明光でのプレートの演出を行うことが可能とされている。本実施例では垂直に配置された中央の透明な樹脂プレート２の背面に商品の名称表示などがされた印刷物１７を貼着するものとする。
【０００９】
このように構成された展示用器具では印刷物１７を背景として垂直及び水平の樹脂プレート４〜６の交差する空間に配置された展示物１８（展示物１８はここでは中空に配置したが、水平方向の最上面に配置された樹脂プレート４上載置してもよい）は複数の透明プレート１，２，４，５の多重反射像１９を伴って複雑さ、深みが感じられ、従来にない高級感を伴った背景処理が行なえることとなる。
また、コントラストの高い文字などを含む印刷物１７では、印刷された文字も多重像として視認され、印刷物１７に立体感を付与できる作用を奏する。
【００１０】
尚、この考案は、次のように変更して具体化することも可能である。
・背景となる印刷物１７は容易に交換できるため、これを入れ替えてプレート自体の色調や質感などを変更することも自由である。樹脂プレート１〜６の空隙には印刷物１７のみならず、鏡、プリズムシート、布など演出に利用できる素材を配置することも可能である。
・上記実施例では垂直方向、水平方向の２面のみであったが２面を共に垂直方向に用いたり３面を用いるようにしても良い。また、樹脂プレート群の延出方向についてその角度は上記のような直交方向に限定されるものではない。
・透明な樹脂プレート１，２，４，５は必要に応じてハーフミラーなど反射率を増加したものに換装することも構わない。
・上記では最後面と最下面に不透明な樹脂プレート３，６を配置したが、このような不透明な樹脂プレート３，６はなくとも構わない。
上記実施例では樹脂プレート２の背面に商品の名称表示などがされた印刷物１７を貼着するようにしたが、溝７ａに支持させるだけでもよい。また、印刷物１７を水平方向に配置してもよい。
・その他、本考案の趣旨を逸脱しない態様で実施することは自由である。
【符号の説明】
【００１１】
１，２，４，５…透明プレートとしての樹脂プレート、７…ベース、７ａ，７ｂ…係合溝としての第１及び第２の溝、１２…スペーサ、１６…収容部としての凹部、１７…印刷物。
【図１】
0003152618.tif 000003
【図２】
0003152618.tif 000004